(57)【要約】【課題】フィルタの着脱が容易であり、清浄度の高い洗浄作業等を容易に行うことができる吸気口フィルタ取付構造を提供する。【解決手段】フィルタユニット１０の前面１０ａに設けられ、エアフィルタ１６を取り付ける吸気口１２を有する。吸気口１２の前面周縁部１２ａに、前面周縁部１２ａの角縁部１２ｂから連続して、吸気口１２の内側に窪んだ段差部１８を備える。前面周縁部１２ａに連続した段差部１８の下方に位置する下方周縁段差部１８ａに連続して、フィルタユニット１０の底板２０が接続している。前面周縁部１２ａには、エアフィルタ１６を保持する係止部材２６を備える。係止部材２６は、エアフィルタ１６を取り付けた状態で、エアフィルタ１６に当接して保持する位置と、エアフィルタ１６の当接位置から離れた退避位置とを選択可能である。【選択図】図１
2020148402.tif 000002
【特許請求の範囲】
【請求項１】
空気がある対象室の壁面内に設置され前記空気を吸引する吸気口を下部に備えるフィルタユニットの前面に設けられ、エアフィルタを取り付ける前記吸気口の吸気口フィルタ取付構造において、
前記対象室の壁面に面一で設置される前記フィルタユニットの前面から吸気気流の面速から規定される面積に切り取られる前記吸気口の前面周縁部に、前記前面周縁部の内側に直角に折れた角縁部から連続して前記吸気口の内側に直角に折れることで窪んだ段差部が設けられ、前記前面周縁部に連続した前記段差部の下方に位置する下方周縁段差部に対して手前に水勾配を形成しつつ堰や溝形を形成せずに連続して、前記フィルタユニットの底板が連続して接続されていることを特徴とする吸気口フィルタ取付構造。
【請求項２】
前記前面周縁部には、前記エアフィルタを保持する係止部材が設けられ、前記係止部材は、前記エアフィルタを取り付けた状態で前記エアフィルタに当接して保持する位置と、前記エアフィルタの当接位置から離れた退避位置とを選択可能に設けられている請求項１記載の吸気口フィルタ取付構造。
【請求項３】
前記前面周縁部は、四角形に形成され、前記前面周縁部の全周に前記段差部が形成され、前記フィルタユニットの前面から連続して、断面がＬ字状に形成され、前記フィルタユニットの内部に連続している請求項１又は２記載の吸気口フィルタ取付構造。
【発明の詳細な説明】
【技術分野】
【０００１】
この発明は、医薬品工場や再生医療での細胞培養用途等のクリーンルーム、その他の空調設備の吸気口に設けられるフィルタの取付構造に関する。
【背景技術】
【０００２】
従来、製薬及びバイオ産業、半導体や光学機器等の精密機械等のクリーンな環境を必要とする分野の作業環境は、空気中の埃をほとんど除去したクリーンルーム内で行われている。このクリーンルームにおける空調設備の吸気口（排気口や還気口）の中には、ほかの部屋や外部への埃や不純物の移動を嫌がるため、内部に種々の埃やその他不純物を除去するエアフィルタを備えたフィルタユニットが取り付けられ、フィルタユニットが吸排気ダクトに接続されている。
【０００３】
特に原薬・医薬品添加剤製造などの製薬工場では、製造する原薬や中間体を含む薬品毎に他の不純物のないクリーンな環境が求められ、薬品への埃や不純物の混入や汚染を防止するために定期的なフィルタユニット内の洗浄を行っている。さらに、製品の切り替えやその他必要に応じた交叉汚染の防止においても、フィルタの交換に伴いフィルユニット内も洗浄して、空気のだけでなく製薬の製造工程における室内の清浄な環境を維持している。また、周囲の環境に影響を及ぼす高生理活性物質（例えば抗生物質などで、外部に漏れると外部の微生物等の生息環境を変化させるもの）を製造過程で扱う場合、その漏出を防止するためにも定期的なフィルタユニット内洗浄やフィルタ交換などを行う。これは、有効で安全な薬の安定供給のためのＧＭＰ（Ｇｏｏｄ  Ｍａｎｕｆａｃｔｕｒｉｎｇ  Ｐｒａｔｉｃｅ）の３原則（１．汚染及び品質低下を防止する。２．人為的な誤りを最小限にする。３．高度な品質を保証するシステムを設計する。）のうち、１を具体化する「異物混入を防ぐ配置レイアウト、取り扱い方法と環境、機器・器具の洗浄」、３を具体化する「設備・施設の衛生、清掃管理メンテナンス」に該当し重要な事項である。
【０００４】
さらに、一口に汚染といっても、その原因は多い。まず本来医薬品に含まれるべきでない異物による汚染があり、異物には、空気中に浮遊する塵埃や装置や容器からの欠片、作業者の毛髪や皮膚や虫といった生体由来の物があり、別の製品や原材料や中間体が混入する交叉汚染もある。これらの汚染は、空調設備によって、清浄環境の空気を清浄化し気流を保つことである程度防止できる。これは、空調設備の気流により吸気口に異物が集まり、フィルタにて捕捉されることによる。
【０００５】
原薬・医薬品添加剤製造などの製薬工場では、大別すると２つの空調方式がある。ひとつは「全外気空調方式（ワンススルー方式）」で、もう一つは「循環空調方式」である。このうち、温調された空気の一部を循環使用するため省エネルギー性が高いので多く用いられる「循環空調方式」では、複数の製造室などを受け持つ空調機から複数室に給気され、例えば一室は全量排気されても、ほかの室は還気を床上すぐ上の還気口である吸気口から空調機に戻すので、交叉汚染防止対策として、吸気口には還気のフィルタ処理が必要となる。この場合、メインフィルタ（ＨＥＰＡであることが多い）を中腰から立位の目の高さに設置し、下部の吸気口にはプレフィルタを備えて、粗い異物の捕捉を行いメインフィルタの捕捉負荷を分担するよう、フィルタユニットにして、室の壁に面一で設置するのが普通である。また、高生理活性物質を扱う場合、漏出を防止したり扱う作業者への影響も排除するため、ユニット筐体やプレフィルタ、メインフィルタについても一度水や薬液で濡らして失活させたあと、交換したり洗浄したりすることとなる。その他、再生医療における幹細胞からの分化を含む細胞培養においても、同様な汚染が他人同士の培養培地間、分化後の細胞組織間であってはならず、同様な吸気口の管理が必要となる。
【０００６】
このようなフィルタユニットの吸気口の構造としては、例えば、本願出願人による特許文献１に開示された吸気口取付構造がある。この取付構造は、建築物の室内側に開口したフィルタユニットのチャンバー開口部に、取付枠が固定され、取付枠にシャッターユニットが設けられている。シャッターユニットには、集塵用のフィルタが取り付けられ、取付枠に対してシャッターユニットが着脱自在に設けられている。さらに、取付枠には、シャッターユニットを固定する取付用突片が形成され、シャッターユニットを取付枠にネジで固定可能に設けられている。
【０００７】
その他、特許文献２に開示されたエアフィルタ装置のフィルタユニットの構造は、プレフィルタとフィルタパック、及びこれらを保持するフィルタ枠から成る。フィルタパックは、フィルタ枠に略水平方向に圧縮して保持され、プレフィルタは、フィルタ枠の上下に設けられた溝部に、障子戸の取り付け方法と同様のけんどん方式で嵌め込まれている。特許文献２のエアフィルタ装置は、空調システムの空気流路、つまりダクトやその中間のチャンバに設置されるものである。
【０００８】
特許文献３に開示されたエアフィルタ装置のフィルタユニットの構造は、フィルタを備えたフィルタ枠の周縁部の外側表面側に弾性部材が設けられ、フィルタ枠が取り付けられるケーシング枠は溝状のレール部を有し、フィルタ枠をケーシング枠のレール部に取り付けた状態で弾性部材がフィルタ枠をレール部内面に押し付けて固定するものである。このフィルタ枠も、上下に設けられたレール部に対して、障子戸の取り付け方法と同様のけんどん方式で嵌め込まれている。また、特許文献３についても、ろ過機に付随して備わる装置である。
【先行技術文献】
【特許文献】
【０００９】
【特許文献１】特開２００３−２１４６６６号公報
【特許文献２】特開２００１−１２０９３７号公報
【特許文献３】特開２０１４−１８７０１号公報
【発明の概要】
【発明が解決しようとする課題】
【００１０】
上記従来の特許文献１の吸気口フィルタ取付構造の場合、フィルタユニットからシャッターユニットを外し、チャンバー内を洗浄可能であるが、チャンバー内には取付用突片が突設しており（図によっては取付枠上辺と下辺）、さらに取付枠のチャンバー側端縁部の取付段差もあるので、チャンバー内の薬剤粉末を洗浄する際に、取付用突片や取付枠の取付段差の内側に、プレフィルタを通り過ぎた埃、不純物や薬剤粉末や洗浄液が残りやすい。従って、室内の製品や中間体への異物混入を防ぐための、残留のない高度の洗浄が難しいものである。このため、さらに復旧後の室内空気の清浄度を高めるためには、取付枠も外してフィルタユニットのチャンバーを清掃しなければならず、品質保証のための定期的な洗浄や、薬剤の切り替え等に伴い異物除去清浄度の高い内部洗浄を行うには、多大な作業工数がかかるものであった。また、シャッターユニットの室内側開口部には格子状の桟を備えたフェース部材が取り付けられ、これも脱着や洗浄に多大な作業工数がかかるものであった。
【００１１】
特許文献２，３のように、フィルタをケンドン方式で取り付ける場合、フィルタ取付部の洗浄に際して、洗浄液を流してもフィルタをけんどん方式で取り付けるコ字状の溝部内に薬剤粉末や洗浄液が残りやすく、特に溝の角縁部に洗浄液や薬剤粉末が付着して残り、異物除去清浄度の高い洗浄は難しいものである。
【００１２】
この発明は上記従来の問題点に鑑みてなされたものであり、フィルタの着脱が容易であり、異物除去清浄度の高い洗浄作業等を容易に行うことができる吸気口フィルタ取付構造を提供することを目的とする。
【課題を解決するための手段】
【００１３】
本発明は、空気がある対象室の壁面内に設置され前記空気を吸引する吸気口を下部に備えるフィルタユニットの前面に設けられ、エアフィルタを取り付ける前記吸気口の吸気口フィルタ取付構造において、前記対象室の壁面に面一で設置される前記フィルタユニットの前面から吸気気流の面速から規定される面積に切り取られる前記吸気口の前面周縁部に、前記前面周縁部の内側に直角に折れた角縁部から連続して前記吸気口の内側に直角に折れることで窪んだ段差部が設けられ、前記前面周縁部に連続した前記段差部の下方に位置する下方周縁段差部に対して手前に水勾配を形成しつつ堰や溝形を形成せずに連続して、前記フィルタユニットの底板が連続して接続されている吸気口フィルタ取付構造である。
【００１４】
前記前面周縁部には、前記エアフィルタを保持する係止部材が設けられ、前記係止部材は、前記エアフィルタを取り付けた状態で前記エアフィルタに当接して保持する位置と、前記エアフィルタの当接位置から離れた退避位置とを選択可能に設けられているものである。
【００１５】
前記前面周縁部は、四角形に形成され、前記前面周縁部の全周に前記段差部が形成され、前記フィルタユニットの前面から連続して、断面がＬ字状に形成され、前記フィルタユニットの内部に連続しているものである。
【発明の効果】
【００１６】
この発明の吸気口フィルタ取付構造は、エアフィルタが取り付けられる吸気口の前面周縁部に形成された段差部により前面周縁部の前面には内方向けの突起部がなく、エアフィルタを段差部に押し込んで取り付ける構造であるので、エアフィルタを外して、フィルタユニット内を洗浄等する際、手前から段差部が見渡せ邪魔な突起がなく、段差部の洗浄が容易である。吸気口の周縁部には、洗浄液や内部の被洗浄物質が溜まり易い部分である溝型や突起が存在せず、清浄度の高い洗浄やその他清掃作業を容易且つ確実に行うことができる。しかも、エアフィルタの取り付けは、係止部材で簡単に行うことができ、エアフィルタの着脱作業も容易である。
【図面の簡単な説明】
【００１７】
【図１】この発明の一実施形態の吸気口フィルタ取付構造の部分破断概略斜視図である。
【図２】この発明の一実施形態の吸気口フィルタ取付構造の部分拡大斜視図である。
【図３】この発明の一実施形態の吸気口フィルタ取付構造を備えたフィルタユニットの概略正面図である。
【図４】この発明の一実施形態の吸気口フィルタ取付構造を備えたフィルタユニットの概略側面図である。
【図５】この発明の一実施形態の吸気口フィルタ取付構造において、吸気口とエアフィルタを示す部分拡大側面図である。
【図６】この発明の一実施形態の吸気口フィルタ取付構造において、エアフィルタの係止部材による保持部分の部分拡大正面図（ａ）と、部分拡大縦断面図（ｂ）である。
【発明を実施するための形態】
【００１８】
以下、この発明の一実施形態について図面に基づいて説明する。この実施形態の吸気口フィルタ取付構造は、図３、図４に示すように、医薬品の製薬、原薬医薬品添加剤の製造、及び再生医療などバイオ産業等の研究施設や工場等のクリーンルームに設けられた空調設備のフィルタユニット１０において、室内空気を吸い込む吸気口１２の部分の構造である。
【００１９】
フィルタユニット１０は製薬工場等のクリーンルーム内の室を形成する壁材の一部を切除して、壁内へ内蔵されるよう所定の位置に垂直方向に立設されて、図示しない空調設備に接続され、図示しないファンにより室内の空気を吸引可能に設けられている。図４に示すように、ボード壁材やサンドイッチパネル壁材３０をフィルタユニット１０の外寸に合わせて切り取り、床はアングル状、そのほかチャンネル状をした裏地鋼材３１により額縁状に裏地を回し、壁材３０とフィルタユニット１０との隙間をバックアップ材とともにコーキング材にてコーキング処理する。
【００２０】
フィルタユニット１０は、図３、図４に示すように、直方体の筒状に形成され、中空の内部は風路になっていて、風路を遮るように多段に複数のＨＥＰＡフィルタ１４が交換可能に取り付けられている。これにより、フィルタユニット１０の上部に設けられ短管フランジで形成されるダクト接続口へ向けた気流の中の、汚染を起こす混入してはいけない異物を最終的に除去する。多段にＨＥＰＡフィルタ１４が設置されているのは、洗浄や交換時でも外部とＨＥＰＡフィルタ１４を通らずに連通することを避けるため、必ず１つはフィルタユニット１０内に残すためである。
【００２１】
フィルタユニット１０のＨＥＰＡフィルタ１４の下方には、吸気口１２が位置している。フィルタユニット１０の吸気口１２は、フィルタユニット１０の前面１０ａに設けられ、室内の床Ｆの近傍に位置し、床Ｆの上方の空気を吸引可能に設けられている。さらに、フィルタユニット１０の前面１０ａの吸気口１２には、ＨＥＰＡフィルタ１４に送る前の空気中の比較的大きな埃や不純物等を除去するプレフィルタであるエアフィルタ１６が取り付けられている。この実施形態の吸気口フィルタ取付構造は、吸気口１２におけるエアフィルタ１６を固定する構造である。
【００２２】
この実施形態の吸気口フィルタ取付構造は、図１、図２に示すように、フィルタユニット１０の前面１０ａである、吸気口１２の前面周縁部１２ａに、前面周縁部１２ａの全周から内側に直角に折れた角縁部１２ｂに連続し、さらに吸気口１２の中心側内側に直角に折れることで、フィルタユニット１０の内部１０ｂ側に窪んだ段差部１８を備えている。前面周縁部１２ａは、フィルタユニット１０の正面板の下部から吸気気流の面速から規定される面積に切り取られて、四角形に形成されている。段差部１８は、前面周縁部１２ａの全周で断面がＬ字状に形成され、且つフィルタユニット１０の前面１０ａから連続して、Ｌ字状の断面に形成されている。吸気口１２の前面周縁部１２ａの大きさは、抵抗であるエアフィルタろ材やフィルタ枠を含んだ面積で気流速度を除した面速によって、エアフィルタでの除塵性能や風切り音防止の観点などから規定される。前面周縁部１２ａに連続した段差部１８のうち、下方に位置する下方周縁段差部１８ａに対して手前に水が流れる勾配（水勾配）を形成しつつ水が流れるのをせき止める堰や水がたまる溝形を形成せずに、連続してフィルタユニット１０の底部に設けられた底板２０が接続されている。底板２０は、後述するフィルタユニット１０の洗浄時に、洗浄液が容易に排出されるように、前面開口縁部１２ａに向かって下がる方向に傾斜している。段差部１８のその他の内側端縁は、フィルタユニット１０の内部１０ｂである内壁面に連続している。
【００２３】
エアフィルタ１６は、断面がコ字状に形成されたステンレス製の矩形の外形を有するフィルタ枠２２内に、不織布等の厚みのあるフェルト状で枚葉状のフィルタ材料１６ａが取り付けられたものである。フィルタ枠２２の外形寸法は、段差部１８の内法寸法とほぼ等しいがわずかに小さい大きさで、段差部１８に嵌合可能な寸法に形成されている。フィルタ枠２２には、菱形の金属線から成るフィルタ押さえ２４がフィルタ材料１６ａとの隙間に差し込まれ着脱自在に取り付けられ、フィルタ材料１６ａをフィルタ枠２２に保持している。
【００２４】
前面周縁部１２ａには、図３〜図６に示すように、エアフィルタ１６の周縁部を保持する係止部材２６が、四方の辺の所定の複数位置に設けられている。例えば、図３に示すように、係止部材２６は、段差部１８の下方周縁段差部１８ａと対向する上方の辺と、その両側の辺に各々１個ずつ設けられている。係止部材２６は、前面周縁部１２ａに軸支された頭部に被回動部を有する取付軸部材２６ａと、取付軸部材２６ａに貫通されて回動可能に取り付けられた板状の係止板２６ｂとから成る。係止部材２６の係止板２６ｂは、エアフィルタ１６を段差部１８に取り付けた状態で、エアフィルタ１６の前面に当接して、エアフィルタ１２を段差部１８に保持する位置と、エアフィルタ１６の当接位置から離れた退避位置とを選択できるように、取付軸部材２６ａを中心に回動可能に設けられている。さらに、係止板２６ｂは、エアフィルタ１６側に回動した状態で、エアフィルタ１６のフィルタ枠２２を押圧し、エアフィルタ１６を段差部１８の内面に圧接させるように形成されている。
【００２５】
この実施形態の吸気口フィルタ取付構造における、エアフィルタ１６の取り付けは、図５、図６に示すように、フィルタユニット１０の前面１０ａの吸気口１２に形成された段差部１８に対して、前面１０ａに向かってエアフィルタ１６の面を平行にしたまま押し込んで嵌め込むようにして取り付け、図３〜図６に示すように、係止部材２６の係止板２６ｂを退避位置からエアフィルタ１６側に回動させて固定する。
【００２６】
また、エアフィルタ１６の取り外しは、上記と逆の操作で簡単に外すことができ、フィルタユニット１０の内部１０ｂの洗浄や、ＨＥＰＡフィルタ１４の交換を容易に行うことができる。洗浄時は、洗浄液が底板２０から断面Ｌ字状の段差部１８に向かって流れ出て、段差部１８でも抵抗を受けることなく容易に外部に流れ出る。内部１０ｂの壁面に付着していた薬剤粉等も、段差部１８で溜まることはなく、段差部１８の壁面にも付着せず、容易に流れ出る。内部１０Ｂの壁面や底板２０に残る洗浄液の雫なども、奥から手前にハンドワイパーなどで容易に掻き出すことができる。
【００２７】
この実施形態の吸気口フィルタ取付構造によれば、フィルタユニット１０の吸気口１２の前面周縁部１２ａには、外側に開放した断面Ｌ字状の段差部１８のみが設けられ、段差部１８に対して、エアフィルタ１６を前面側から嵌め込んで取り付ける構造なので、エアフィルタ１６を外すと、フィルタユニット１０の底板２０から堰や溝形などの屈曲部がなく連続して段差部１８となり、フィルタユニット１０内から吸気口１２の外側に向かって、抵抗となる突起物がない。従って、フィルタユニット１０の内部１０ｂを洗浄液で洗浄する場合でも、洗浄液が留まる部分がなく、洗浄した薬剤粉等が付着しやすい部分もなく、きれいに洗浄することができる。これにより、製造する薬剤の切り替えや、定期のメンテナンス等によるフィルタユニット１０内部の清浄化作業を容易且つ確実に行うことができる。吸気口１２の周縁部にも、洗浄液や内部の被洗浄物質が付着することがなく、清浄度の高い清掃作業を容易且つ確実に行うことができる。また、エアフィルタ１６の取り付けは、係止部材２６を回動させて簡単に行うことができ、エアフィルタ１６の着脱作業も容易である。
【００２８】
なお、この発明の吸気口フィルタ取付構造は上記実施形態に限定されるものではなく、係止部材の構造は、回動式以外に直線的に摺動するものや突没可能に設けられたもので良い。エアフィルタの種類も、適宜選択可能なものであり、エアフィルタの全面に適宜の補強部材や枠が取り付けられていても良い。
【符号の説明】
【００２９】
１０  フィルタユニット
１０ａ  前面
１２  吸気口
１２ａ  前面周縁部
１２ｂ  角縁部
１４  ＨＥＰＡフィルタ
１６  エアフィルタ
１８  段差部
２０  底板
２２  フィルタ枠
２４  フィルタ押さえ
２６  係止部材
【図１】
2020148402.tif 000003
【図２】
2020148402.tif 000004
【図３】
2020148402.tif 000005
【図４】
2020148402.tif 000006
【図５】
2020148402.tif 000007
【図６】
2020148402.tif 000008